(57)【要約】【課題】スマートフォン等の携帯機器を利用しつつ、簡易かつコストパフォーマンスに優れたマルチトラック録音システムを提供する。【解決手段】マルチトラック録音再生装置１０で第１オーディオ信号を録音し、複数のチャンネル（トラック）のいずれかに記録する。他方、スマートフォン１２で第２オーディオ信号を録音し、録音ファイルとして記録媒体に記録する。録音再生装置１０とスマートフォン１２をＷｉ−Ｆｉ接続し、スマートフォン１２から録音ファイルを録音再生装置１０に転送し、録音再生装置１０は、複数チャンネルのうち、第１オーディオ信号が記録されていない残余のチャンネルに録音ファイルを格納する。【選択図】図１
2019135548.tif 000002
【特許請求の範囲】
【請求項１】
無線ＬＡＮ機能を備えたマルチトラック録音システムであって、
前記録音システムは、無線ＬＡＮ機能を備えたマルチトラック録音装置と携帯機器からなり、
前記マルチトラック録音装置は、
第１無線ＬＡＮモジュールと、
オーディオ信号を入力する第１入力手段と、
前記第１入力手段から入力されたオーディオ信号を第１記録媒体のチャンネル群のいずれかに記録する第１処理手段と、
を備え、
前記携帯機器は、
第２無線ＬＡＮモジュールと、
オーディオ信号を入力する第２入力手段と、
前記第２入力手段から入力されたオーディオ信号を第２記録媒体のチャンネル群のいずれかに記録する第２処理手段と、
を備え、
前記第１処理手段は、前記第１無線ＬＡＮモジュール及び前記第２無線ＬＡＮモジュールを介して前記携帯機器と無線接続された場合に、前記携帯機器の前記第２処理手段での記録状態に関するステータス情報を受信し、前記第１処理手段での記録状態に関するステータス情報と、受信した前記第２処理手段での記録状態に関するステータス情報とをディスプレイに一括表示する
ことを特徴とする無線ＬＡＮ機能を備えたマルチトラック録音システム。
【請求項２】
請求項１に記載のマルチトラック録音システムにおいて、
前記携帯機器はスマートフォンである
ことを特徴とする無線ＬＡＮ機能を備えたマルチトラック録音システム。
【発明の詳細な説明】
【技術分野】
【０００１】
本発明は録音システムに関し、特に無線ＬＡＮ機能を備えたマルチトラック録音システムに関する。
【背景技術】
【０００２】
従来から、ポータブルレコーダでマルチトラックレコーダを構成する場合、筐体の大きさの制限から搭載可能なチャンネル数には制限があり、２チャンネルのマルチトラックレコーダ、あるいは４チャンネルのマルチトラックレコーダが現実的といわれている。
【０００３】
マルチトラックレコーダのチャンネル数を増やす場合、複数のマルチトラックをケーブルで繋いでシンクロさせる方法が知られているが、同種類のマルチトラックレコーダを複数用意しなければならず、一般にマルチトラックレコーダは比較的高価であることからコストパフォーマンスが低く、広く普及するには至っていない。
【０００４】
特許文献１には、複数台のオーディオレコーダをシリアル伝送インタフェースで接続し、１台のマスタレコーダを設定することにより、マスタレコーダの動作に他のスレーブレコーダの動作を同期させることが記載されている。
【０００５】
特許文献２には、２台のマルチトラックレコーダをＵＳＢケーブルで接続し、パケット化されたコントロールメッセージを送受信することで同期録音を可能にすることが記載されている。
【先行技術文献】
【特許文献】
【０００６】
【特許文献１】特開２０１１−３５１３６６号公報
【特許文献２】特開２０１０−１６５４０３号公報
【発明の概要】
【発明が解決しようとする課題】
【０００７】
上記従来技術はいずれも複数台のレコーダないしマルチトラックレコーダをケーブルで接続するものであり、複数台の同種レコーダを前提としているため、上記の問題点が内在している。
【０００８】
他方、近年においてはスマートフォンが広く普及しており、多くのユーザがスマートフォンにより静止画や動画を撮影し、あるいは音声を録音している実情がある。
【０００９】
本発明の目的は、既に広く普及しているスマートフォン等の携帯機器を利用しつつ、簡易かつコストパフォーマンスに優れたマルチトラック録音システムを提供することにある。
【課題を解決するための手段】
【００１０】
本発明は、無線ＬＡＮ機能を備えたマルチトラック録音システムであって、前記録音システムは、無線ＬＡＮ機能を備えたマルチトラック録音装置と携帯機器からなり、前記マルチトラック録音装置は、第１無線ＬＡＮモジュールと、オーディオ信号を入力する第１入力手段と、前記第１入力手段から入力されたオーディオ信号を第１記録媒体のチャンネル群のいずれかに記録する第１処理手段とを備え、前記携帯機器は、第２無線ＬＡＮモジュールと、オーディオ信号を入力する第２入力手段と、前記第２入力手段から入力されたオーディオ信号を第２記録媒体のチャンネル群のいずれかに記録する第２処理手段とを備え、前記第１処理手段は、前記第１無線ＬＡＮモジュール及び前記第２無線ＬＡＮモジュールを介して前記携帯機器と無線接続された場合に、前記携帯機器の前記第２処理手段での記録状態に関するステータス情報を受信し、前記第１処理手段での記録状態に関するステータス情報と、受信した前記第２処理手段での記録状態に関するステータス情報とをディスプレイに一括表示することを特徴とする。
【００１１】
本発明において、前記携帯機器は、例えばスマートフォンとすることができる。
【発明の効果】
【００１２】
本発明によれば、既に広く普及しているスマートフォン等の携帯機器を利用しつつ、簡易かつコストパフォーマンスに優れたマルチトラック録音が実現する。
【図面の簡単な説明】
【００１３】
【図１】実施形態のシステム構成図である。
【図２】実施形態の処理フローチャートである。
【図３】実施形態の録音再生装置の構成ブロック図である。
【発明を実施するための形態】
【００１４】
以下、図面に基づき本発明の実施形態について、ポータブル録音再生装置を例にとり説明する。但し、本発明において、再生機能は必ずしも必須ではない。
【００１５】
図１は、本実施形態のシステム構成図である。ポータブル録音再生装置（以下、単に録音再生装置と称する）１０は、無線接続機能を備えた携帯機器と無線接続する。本実施形態では、無線接続機能を備えた携帯機器としてスマートフォン１２を例示し、無線接続として無線ＬＡＮ、より特定的にはＷｉ−Ｆｉ接続を例示する。Ｗｉ−Ｆｉモジュールを備えたスマートフォンは公知であり、無線ルータ等のアクセスポイントを介してインターネットに接続し得る。
【００１６】
録音再生装置１０は、公知の録音再生機能を備え、内蔵マイク２２やライン入力端子２４から入力されたオーディオ信号を処理してＳＤカード等の記録媒体に記録し、かつ、ＳＤカードに記録されたオーディオ信号を再生して内蔵スピーカから出力する。また、録音再生装置１０は、Ｗｉ−Ｆｉモジュールを備え、スマートフォン１２との間でＷｉ−Ｆｉ接続する。録音再生装置１０とスマートフォン１２との間のＷｉ−Ｆｉ接続は、基本的には１対１接続であるが、必要に応じて１対多接続でもよい。録音再生装置１０は、複数のチャンネルを備えたマルチトラックレコーダとして機能し、ユーザは、複数のチャンネルの中から任意のチャンネルを選択してオーディオ信号を記録することができる。
【００１７】
録音再生装置１０のユーザは、所望の楽曲パートを演奏したオーディオ信号、あるいはライブ等でのバンド演奏のオーディオ信号を録音再生装置１０の内蔵マイク２２あるいはライン入力端子２４から入力して録音する。図１では、ギター等の楽器１４が示されているが、これ以外の任意のパート、例えばベースパート、ヴォーカルパート、ドラムパート等でもよい。録音再生装置１０は、オーディオ信号を入力し、複数チャンネルの中のいずれかにオーディオ信号を録音する。録音再生装置１０に録音されるオーディオ信号を第１オーディオ信号と称する。
【００１８】
他方、スマートフォン１２は、Ｗｉ−Ｆｉモジュールを備え、録音再生装置１０とＷｉ−Ｆｉ接続する。スマートフォン１２は、公知の撮影機能や録音機能を備え、内蔵マイクあるいは外付けマイクから入力されたオーディオ信号を処理して記録媒体に記録する。例えば、スマートフォン１２で楽器１６のオーディオ信号を記録する。任意のパートを記録できるのは録音再生装置１０と同様である。なお、ユーザは、スマートフォン１２にインストールされた所定のアプリケーション（録音再生装置１０との連携や制御に必要なアプリケーション）を起動し、このアプリケーションを操作して、録音再生装置１０の動作、すなわち録音開始や録音停止、再生開始や再生停止を制御してもよい。スマートフォン１２に記録されるオーディオ信号を第２オーディオ信号と称する。
【００１９】
録音再生装置１０とスマートフォン１２が無線接続された場合、録音再生装置１０とスマートフォン１２との間で相互にオーディオ信号を送受することができる。従って、録音再生装置１０の内蔵マイク２２あるいはライン入力端子２４から入力されるオーディオ信号は、録音再生装置１０の各チャンネルに記録可能であるとともに、当該オーディオ信号を録音再生装置１０からスマートフォン１２に無線送信し、スマートフォン１２のチャンネルに記録することもできる。この場合、スマートフォン１２のチャンネルにより、録音再生装置１０のチャンネル数が実質的に拡大したものとなる。
【００２０】
同様にして、スマートフォン１２の内蔵マイクあるいはライン入力端子から入力されるオーディオ信号は、スマートフォン１２の各チャンネルに記録可能であるとともに、当該オーディオ信号をスマートフォン１２から録音再生装置１０に無線送信し、録音再生装置１０の各チャンネルに記録することもできる。この場合も、録音再生装置１０のチャンネル数を基準とすると、スマートフォン１２のチャンネルにより、録音再生装置１０のチャンネル数が実質的に拡大したものとなる。
【００２１】
以下では、録音再生装置１０の有する複数チャンネルと、スマートフォン１２の有する単一若しくは複数のチャンネルを併せて、録音システムにおけるチャンネル群と称する。すなわち、
録音システムのチャンネル群＝録音再生装置１０の複数のチャンネル＋スマートフォン１２のチャンネル
である。録音再生装置１０の複数のチャンネルを「第一のチャンネル」、スマートフォン１２のチャンネルを「第二のチャンネル」とすると、第一のチャンネルと第二のチャンネルから録音システムのチャンネル群が構成され、第一のチャンネルと第二のチャンネルはＷｉ−Ｆｉ接続によりシームレスに接続されるといえる。また、録音再生装置１０が４チャンネルのトラックを有し、スマートフォン１２に２チャンネルの仮想トラックが設定されている場合は、無線接続により録音再生装置１０とスマートフォン１２で６チャンネルのマルチトラックレコーダを構成しているということができ、録音再生装置１０をマスタに設定した場合、録音再生装置１０は、自身の４チャンネルを第１ｃｈ〜第４ｃｈ、スマートフォン１２を第５ｃｈ、第６ｃｈと認識することになる。一方、スマートフォン１２をマスタに設定した場合、スマートフォン１２は、自身の２チャンネルを第１ｃｈ、第２ｃｈと認識し、録音再生装置１０の４チャンネルを第３ｃｈ〜第６ｃｈと認識することになる。但し、録音再生装置１０を優先し、録音再生装置１０の４チャンネルを第１ｃｈ〜第４ｃｈ、自身の２チャンネルを第５ｃｈ、第６ｃｈと認識するようにしても問題はない。チャンネル数（チャンネル群）は仕様に応じて適宜変更することができる。
【００２２】
録音再生装置１０に入力されたオーディオ信号を録音システムにおけるチャンネル群のどのチャンネルに記録するか、あるいはスマートフォン１２に入力されたオーディオ信号を録音システムにおけるチャンネル群のどのチャンネルに記録するかは、録音再生装置１０あるいはスマートフォン１２のいずれかにより任意に設定できる。例えば、ユーザが録音再生装置１０を操作して録音再生装置１０から入力されたオーディオ信号を録音再生装置１０の２つのチャンネルに記録するとともにスマートフォン１２のチャンネルに記録するように設定し、あるいは、ユーザがスマートフォン１２を操作してスマートフォン１２から入力されたオーディオ信号を録音再生装置１０のチャンネルのみに記録するように設定する等である。
【００２３】
また、録音後のミックスダウンについても、録音時と同様に録音システムのチャンネル群の任意のチャンネルを用いることができる。例えば、録音再生装置１０において、第１チャンネルにギター、第２チャンネルにドラム、第３チャンネルにヴォーカルの各オーディオ信号を記録した後、これらをミックスダウンして録音再生装置１０の残りのチャンネルに格納するか、あるいはスマートフォン１２のチャンネルに格納することも可能である。
【００２４】
なお、録音再生装置１０とスマートフォン１２が無線接続されていない場合には、それぞれ独立に録音再生装置１０の各チャンネルに第１オーディオ信号を記録し、スマートフォン１２の各チャンネルに第２オーディオ信号を記録するが、録音再生装置１０とスマートフォン１２が無線接続された場合には、スマートフォン１２から録音状態に関するステータス情報を録音再生装置１０に無線送信し、録音再生装置１０が自身の録音状態を監視するだけでなく、スマートフォン１２での録音状態も取得し、これらを一括してディスプレイ等に表示する。勿論、録音再生装置１０から録音状態に関するステータス情報をスマートフォン１２に無線送信し、スマートフォン１２が自身の録音状態を監視するだけでなく、録音再生装置１０での録音状態も取得し、これらを一括してディスプレイ等に表示してもよい。要するに、録音再生装置１０あるいはスマートフォン１２のいずれかで、録音システムにおけるチャンネル群の録音状態を一括して監視すればよい。さらに、チャンネル群を構成する各チャンネルの録音ソースが録音再生装置１０であるかスマートフォン１２であるかをディスプレイに表示することも好適であろう。
【００２５】
本実施形態は、録音再生装置１０とスマートフォン１２をＷｉ−Ｆｉ接続して連携させることで、録音再生装置１０のチャンネル数を実質的に拡大するものであるが、本実施形態の利点の１つは、録音再生装置１０のユーザと、スマートフォン１２のユーザが互いに異なる場所、異なる時間でそれぞれオーディオ信号を録音するにも関わらず、単一の録音再生装置１０にそれぞれのオーディオ信号がマルチトラックとして録音できる点である。例えば、録音再生装置１０のユーザＡがスタジオにおいて第１チャンネル及び第２チャンネルにギターとドラムをそれぞれ録音し、スマートフォン１２のユーザＢが自宅においてスマートフォン１２のチャンネルにヴォーカルを録音し、これをＷｉ−Ｆｉ接続を介して録音再生装置１０に無線送信し、録音再生装置１０の空きチャンネルに格納することが可能である。また、この場合、録音再生装置１０において、第１チャンネルのギター、第２チャンネルのドラム、第３チャンネルのヴォーカルをミックスダウンして録音再生装置１０の第４チャンネル、あるいはスマートフォン１２の空きチャンネルに格納することも可能である。
【００２６】
図２は、本実施形態の処理フローチャートであり、一例として録音再生装置１０の第１ｃｈ及び第２ｃｈに第１オーディオ信号を録音し、スマートフォン１２で第２オーディオ信号を録音し、その後にスマートフォン１２から録音再生装置１０に無線送信して録音再生装置１０の第３ｃｈ及び第４ｃｈに第２オーディオ信号を録音する場合のフローチャートである。
【００２７】
まず、録音再生装置１０で第１オーディオ信号を第１ｃｈ及び第２ｃｈに録音する（Ｓ１０１）。すなわち、録音レベルや録音フォーマット、サンプリング周波数、各種フィルタ処理を設定して第１オーディオ信号を処理してＳＤカード等の記録媒体の第１ｃｈ及び第２ｃｈに録音する。
【００２８】
次に、Ｓ１０１と相前後して、スマートフォン１２で第２オーディオ信号を録音する（Ｓ１０２）。このときの録音条件は、録音再生装置１０の録音条件と同一ではなくてもよい。スマートフォン１２は、第２オーディオ信号の録音ファイルをＳＤカード等の記録媒体に記録する。
【００２９】
次に、録音再生装置１０とスマートフォン１２をＷｉ−Ｆｉ接続する（Ｓ１０３）。具体的には、録音再生装置１０のＷｉ−Ｆｉボタンあるいはアイコンを操作してＷｉ−Ｆｉモジュールを起動する。次に、スマートフォン１２側のＷｉ−Ｆｉボタンを操作してＷｉ−Ｆｉモジュールを起動する。スマートフォン１２で録音再生装置１０を検出し、録音再生装置１０の無線ＬＡＮにおけるアクセスポイントの識別名であるＳＳＩＤが表示されたときに、これに対応するパスワードを入力してＷｉ−Ｆｉ接続を確立する。なお、パスワードは、録音再生装置１０の表示部に表示してユーザに視認させることができる。
【００３０】
Ｗｉ−Ｆｉ接続が確立すると、スマートフォン１２はユーザから指定された録音ファイルを記録媒体から読み出し、録音再生装置１０に読み出した録音ファイルを転送する（Ｓ１０４）。スマートフォン１２にインストールされた所定のアプリケーションが、録音再生装置１０からの要求コマンドに応じて録音ファイルを記録媒体から読み出して録音再生装置１０に転送してもよい。
【００３１】
最後に、録音再生装置１０はスマートフォン１２から送信された録音ファイルを受信し、第１オーディオ信号が録音されている第１ｃｈ、第２ｃｈ以外の残余のチャンネルである第３ｃｈ及び第４ｃｈに録音ファイルを記録する（Ｓ１０５）。録音ファイル、すなわち第２オーディオ信号が単一チャンネルの信号であれば第３ｃｈあるいは第４ｃｈのいずれかに格納してもよく、第２オーディオ信号がＬチャンネル及びＲチャンネルのステレオチャンネルから構成されていれば第３ｃｈにＬチャンネル信号、第４チャンネルにＲチャンネル信号を格納する。
【００３２】
なお、録音再生装置１０で第１ｃｈ〜第４ｃｈを再生する場合、そのファイル名を視認することで、録音再生装置１０で録音したものか、あるいはスマートフォン１２で録音してこれを受信したものであるかを容易に識別できるようにするのも好適である。例えば、スマートフォン１２から受信した録音ファイルのファイル名に特定のフラグを追加する等である。録音再生装置１０の録音フォーマットとスマートフォン１２の録音フォーマットが異なる場合には、そのフォーマットの違いから容易に識別できる。
【００３３】
次に、本実施形態における録音再生装置１０の具体的な構成について説明する。
【００３４】
図３は、本実施形態の録音再生装置１０の構成ブロック図である。録音再生装置１０は、Ｗｉ−Ｆｉモジュール２０、内蔵マイク２２、ライン入力端子２４、内蔵スピーカ３０、ディスプレイ３２、ＬＥＤ３３、操作ボタン３４、システムコントローラ３６、及びＳＤコネクタ４２を備える。
【００３５】
Ｗｉ−Ｆｉモジュール２０は、無線ＬＡＮモジュールであり、スマートフォン１２とのＷｉ−Ｆｉ接続及びデータ送受を行うモジュールである。Ｗｉ−Ｆｉモジュール２０は、操作ボタン３４やアイコンの操作に応じて起動し、スマートフォン１２とのＷｉ−Ｆｉ接続を確立する。また、Ｗｉ−Ｆｉモジュール２０は、スマートフォン１２からコマンドを受信し、受信したコマンドをシステムコントローラ３６に供給する。このコマンドは、録音再生装置１０の動作を制御するコマンドであり、録音開始、録音停止等である。また、Ｗｉ−Ｆｉモジュール２０は、システムコントローラ３６から供給されたステータス情報をスマートフォン１２に送信してもよい。ステータス情報には、複数のチャンネルの録音状況が含まれる。第１ｃｈ及び第２ｃｈは録音済み、第３ｃｈ及び第４ｃｈは未録音等である。
【００３６】
内蔵マイク２２は、Ｒチャンネル及びＬチャンネルのステレオマイクであり、演奏された楽器等のオーディオ信号を入力し、インタフェース（Ｉ／Ｆ）２６に出力する。
【００３７】
ライン入力端子２４は、外部機器（外付けマイクを含む）からのオーディオ信号をライン入力し、インタフェース（Ｉ／Ｆ）２６に出力する。
【００３８】
インタフェース（Ｉ／Ｆ）２６は、内蔵マイク２２あるいはライン入力端子２４からのオーディオ信号をコーデック（ＣＯＤＥＣ）２８に出力する。
【００３９】
コーデック（ＣＯＤＥＣ）２８は、入力されたオーディオ信号をデジタル信号に変換し、圧縮及び符号化してシステムコントローラ３６に供給する。また、システムコントローラ３６から供給されたオーディオ信号を伸長及び復号化し、アナログオーディオ信号に変換して内蔵スピーカ３０から出力する。コーデック（ＣＯＤＥＣ）２８は、内蔵マイク２２あるいはライン入力端子２４からのオーディオ信号を処理するモジュールと、内蔵スピーカ３０に出力するオーディオ信号を処理するモジュールに分離していてもよい。
【００４０】
ディスプレイ３２は、ＬＣＤパネルあるいは有機ＥＬパネル等から構成され、録音再生装置１０の各種ステータス情報、例えば録音／再生のタイムカウンタや録音レベルを表示する。
【００４１】
ＬＥＤ３３は、Ｗｉ−Ｆｉモジュール２０の起動状態や接続状態を示す。ＬＥＤ３３は、Ｗｉ−Ｆｉモジュールがオフでは消灯状態、Ｗｉ−Ｆｉモジュール２０がオンでは点滅状態（スタンバイ状態）、Ｗｉ−Ｆｉモジュール２０がオンであり、かつＷｉ−Ｆｉ接続状態で点灯状態に移行する。
【００４２】
操作ボタン３４は、録音再生装置１０の動作を指示するボタンである。操作ボタン３４には、Ｗｉ−Ｆｉのオン／オフを切り替えるＷｉ−Ｆｉボタン、録音／再生／停止ボタン、録音レベル調整ボタン、チャンネル（トラック）選択ボタン等が含まれる。操作ボタン３４をジョグダイヤルやディスプレイ３２に表示されたタッチボタンとして構成してもよい。
【００４３】
システムコントローラ３６は、プロセッサ及びメモリで構成され、録音再生装置１０の各部を制御する。システムコントローラ３６は、ＲＯＭ３８に記録された処理プログラムに従い、ＲＡＭ４０をワーキングメモリとして用いて各種処理を実行する。各種処理には、Ｗｉ−Ｆｉモジュール２０の起動／オフ、スマートフォン１２との接続確立、内蔵マイク２２あるいはライン入力端子２４から入力されたオーディオ信号の処理、当該オーディオ信号のＳＤカードへの記録、当該オーディオ信号の再生、ステータス情報のＷｉ−Ｆｉモジュール２０への供給、Ｗｉ−Ｆｉモジュール２０を介したスマートフォン１２との間のオーディオ信号の送受、オーディオ信号のＳＤカードへの記録等が含まれる。システムコントローラ３６は、複数のプロセッサを備えていてもよく、ＰＬＤ（プログラマブルロジックデバイス）と協働してもよい。
【００４４】
ＳＤコネクタ４２には、ＳＤカードが装着される。システムコントローラ３６は、オーディオ信号をＳＤカードに記録することで録音する。また、ＳＤカードに記録されているオーディオ信号を読み出し、コーデック（ＣＯＤＥＣ）２８を介して内蔵スピーカ３０から出力する。
【００４５】
システムコントローラ３６は、操作ボタン３４からの指示に応じ、あるいはスマートフォン１２から受信したコマンドに応じ、内蔵マイク２２あるいはライン入力端子２４から入力したオーディオ信号を、録音システムのチャンネル群のいずれかに記録する。例えば、操作ボタン３４により録音再生装置１０の第１ｃｈと第２ｃｈ、及びスマートフォン１２の第１ｃｈが設定された場合、システムコントローラ３６は、入力したオーディオ信号を第１ｃｈ及び第２ｃｈに記録するとともに、スマートフォン１２に対してコマンド及びオーディオ信号を無線送信する。スマートフォン１２のコントローラは、録音再生装置１０からのコマンドに応じ、受信したオーディオ信号を自身の第１ｃｈに記録する。スマートフォン１２のコントローラは、録音状態を含むステータス情報を録音再生装置１０に無線送信する。システムコントローラ３６は、スマートフォン１２からのステータス情報を受信し、自身の録音状態とともにディスプレイ３２に一括表示する。また、システムコントローラ３６は、スマートフォン１２からコマンド及びオーディオ信号を受信した場合に、コマンドに応じて受信したオーディオ信号をコマンドで指定されたチャンネルに記録する。このとき、システムコントローラ３６は、録音状態を含むステータス情報をスマートフォン１２に無線送信する。
【００４６】
さらに、システムコントローラ３６は、自身のチャンネルのうち、第１オーディオ信号が録音されていないチャンネルを検索し、空いているチャンネルにスマートフォン１２から受信した第２オーディオ信号を自動的に格納してもよい。結果として、例えば、
第１ｃｈ：141203-000.wav
第２ｃｈ：141203-001.wav
第３ｃｈ：141205-S.mp3
等が格納される。なお、第３ｃｈのファイル名の最後の「-S」は、スマートフォン１２から送信されたファイルであることを示す。
【００４７】
スマートフォン１２の構成は公知であり図示していないが、スマートフォン１２も無線ＬＡＮモジュール、第２オーディオ信号を入力する内蔵マイク、及び第２オーディオ信号を処理して記録媒体に記録するコントローラを備える。本実施形態の録音システムは、録音再生装置１０のシステムコントローラ３６とスマートフォン１２のコントローラが協働し、録音システムのチャンネル群をあたかも単一の録音装置の複数のチャンネルを構成しているかのように制御するものといえる。ここで、両者を区別するために、録音再生装置１０側の無線ＬＡＮモジュール２０、内蔵マイク２２やライン入力端子２４、システムコントローラ３６をそれぞれ第１無線ＬＡＮモジュール、第１入力手段、第１処理手段と称し、スマートフォン１２側の無線ＬＡＮモジュール、内蔵マイク、コントローラをそれぞれ第２無線ＬＡＮモジュール、第２入力手段、第２処理手段と称する。
【００４８】
以上、本発明の実施形態について説明したが、本発明はこれに限定されず、種々の変更が可能である。
【００４９】
例えば、本実施形態において、複数のスマートフォンから互いに異なる録音ファイルを録音再生装置１０に送信してもよい。例えば、複数のスマートフォンをスマートフォンＡ、スマートフォンＢとし、それぞれの録音ファイルを録音ファイルＡ，録音ファイルＢとすると、録音再生装置１０の第３ｃｈに録音ファイルＡを格納し、第４ｃｈに録音ファイルＢを格納する。
【００５０】
また、本実施形態において、録音システムのチャンネル群に記録されているオーディオ信号の読み出し／書き込みの制御やミックスダウン処理は、基本的には録音再生装置１０あるいはスマートフォン１２の操作ボタンやアイコンのユーザ操作に基づいて実行されるが、メニュー画面において無線接続時の動作設定を変更し、自動実行させたい項目をＯＮに設定しておいて自動実行させてもよい。これにより、録音再生装置１０とスマートフォン１２がＷｉ−Ｆｉ接続された場合、例えばシステムコントローラ３６は自動的にスマートフォン１２のコントローラに対して録音ファイルを要求するコマンドを送信し、スマートフォン１２から転送された録音ファイルを受信して所定のチャンネルに自動格納することもできる。
【００５１】
また、本実施形態では、無線接続としてＷｉ−Ｆｉ接続を例示したが、ＮＦＣ（Near Field  Communication）やブルートゥース（登録商標）等を用いてもよい。
【符号の説明】
【００５２】
１０  録音再生装置、１２  スマートフォン、１４，１６  楽器、２０  Ｗｉ−Ｆｉモジュール、２２  内蔵マイク、２４  ライン入力端子、３０  内蔵スピーカ、３２  ディスプレイ、３３  ＬＥＤ、３４  操作ボタン、３６  システムコントローラ、４２  ＳＤコネクタ。
【図１】
2019135548.tif 000003
【図２】
2019135548.tif 000004
【図３】
2019135548.tif 000005